(57)【要約】【課題】音声増幅器の音声出力の電位が異常となった場合に、より適切な保護動作を行うことを可能とする音声増幅器保護回路を提供する。【解決手段】音声増幅器から音声信号を出力するための１つ以上の音声出力ラインに電気的接続され、出力音声信号に基づいて検出信号を生成する検出信号生成部と、前記音声増幅器の音声出力の電位の異常を前記検出信号が示している場合に、前記音声増幅器への電源供給を停止させる制御を行う制御部と、を備える音声増幅器保護回路とする。【選択図】図２
2013168741.tif 000002
【特許請求の範囲】
【請求項１】
音声増幅器から音声信号を出力するための１つ以上の音声出力ラインに電気的接続され、出力音声信号に基づいて検出信号を生成する検出信号生成部と、
前記音声増幅器の音声出力の電位の異常を前記検出信号が示している場合に、前記音声増幅器への電源供給を停止させる制御を行う制御部と、
を備えることを特徴とする音声増幅器保護回路。
【請求項２】
前記電位の異常は、前記音声出力がグランド電位と短絡されていることであることを特徴とする請求項１に記載の音声増幅器保護回路。
【請求項３】
前記検出信号生成部は、前記出力音声信号から低周波成分を抽出する少なくとも１つの抽出部を有しており、
前記抽出部により抽出された低周波成分に基づいて前記検出信号が生成されることを特徴とする請求項１または請求項２に記載の音声増幅器保護回路。
【請求項４】
前記少なくとも１つの抽出部は、前記音声出力ラインに入力が電気的接続される少なくとも１つのローパスフィルタであることを特徴とする請求項３に記載の音声増幅器保護回路。
【請求項５】
前記検出信号生成部は、前記ローパスフィルタの出力にカソードが電気的接続される１つ以上のダイオードと、
前記ダイオードのアノードに電気的接続される１つ以上のプルアップ抵抗と、を有することを特徴とする請求項４に記載の音声増幅器保護回路。
【請求項６】
前記１つ以上の音声出力ラインは、Ｌチャンネル用音声出力ラインとＲチャンネル用音声出力ラインであり、
前記１つ以上のローパスフィルタは、前記Ｌチャンネル用音声出力ラインに入力が電気的接続されるＬチャンネル用ローパスフィルタと、前記Ｒチャンネル用音声出力ラインに入力が電気的接続されるＲチャンネル用ローパスフィルタであり、
前記１つ以上のダイオードは、前記Ｌチャンネル用ローパスフィルタの出力にカソードが電気的接続される第１のダイオードと、前記Ｒチャンネル用ローパスフィルタの出力にカソードが電気的接続される第２のダイオードであり、
前記１つ以上のプルアップ抵抗は、前記第１のダイオードのアノードに電気的接続される第１のプルアップ抵抗と、前記第２のダイオードのアノードに電気的接続される第２のプルアップ抵抗であることを特徴とする請求項５に記載の音声増幅器保護回路。
【請求項７】
前記１つ以上の音声出力ラインは、Ｌチャンネル用音声出力ラインとＲチャンネル用音声出力ラインであり、
前記１つ以上のローパスフィルタは、前記Ｌチャンネル用音声出力ラインに入力が電気的接続されるＬチャンネル用ローパスフィルタと、前記Ｒチャンネル用音声出力ラインに入力が電気的接続されると共に前記Ｌチャンネル用ローパスフィルタの出力に出力が電気的接続されるＲチャンネル用ローパスフィルタであり、
前記１つ以上のダイオードは、前記Ｌチャンネル用ローパスフィルタの出力にカソードが接続される１つのダイオードであり、
前記１つ以上のプルアップ抵抗は、前記１つのダイオードのアノードに電気的接続される１つのプルアップ抵抗であることを特徴とする請求項５に記載の音声増幅器保護回路。
【請求項８】
前記１つ以上の音声出力ラインは、Ｌチャンネル用音声出力ラインとＲチャンネル用音声出力ラインであり、
前記１つ以上のローパスフィルタは、前記Ｌチャンネル用音声出力ラインに入力が電気的接続されるＬチャンネル用ローパスフィルタと、前記Ｒチャンネル用音声出力ラインに入力が電気的接続されるＲチャンネル用ローパスフィルタであり、
前記１つ以上のダイオードは、前記Ｌチャンネル用ローパスフィルタの出力にカソードが電気的接続される第１のダイオードと、前記Ｒチャンネル用ローパスフィルタの出力にカソードが電気的接続される第２のダイオードであり、
前記１つ以上のプルアップ抵抗は、前記第１のダイオードのアノードと前記第２のダイオードのアノードに電気的接続される１つのプルアップ抵抗であることを特徴とする請求項５に記載の音声増幅器保護回路。
【請求項９】
前記制御部は、前記音声増幅器の音声出力がグランド電位と短絡されていることを前記検出信号が示している場合に、当該音声増幅器保護回路を備えた音声機器のメイン電源をオフさせることにより前記音声増幅器への電源供給を停止させることを特徴とする請求項１〜請求項８のいずれか１項に記載の音声増幅器保護回路。
【請求項１０】
請求項１〜請求項９のいずれか１項に記載の音声増幅器保護回路と、音声増幅器と、を備えることを特徴とする音声機器。
【発明の詳細な説明】
【技術分野】
【０００１】
本発明は、音声増幅器保護回路に関するものである。
【背景技術】
【０００２】
従来、音声信号を増幅させる音声増幅器が様々に開発されているが、この音声増幅器の増幅動作による過熱を抑制することのできる過熱保護回路も様々に提案されている。
【０００３】
例えば、特許文献１には、パワーアンプ回路を冷却するためのヒートシンクの温度が第１基準温度を超えると、パワーアンプ回路の前段に設けられたＶＣＡ（Voltage Controlled Amplifier）回路のゲインを連続的に低減させ、第２基準温度を超えるとゲインを更に連続的に低減させ、第３基準温度を超えるとパワーアンプ回路への音声信号の入力を遮断させる保護回路が開示されている。
【０００４】
また例えば、特許文献２には、ダイオードの一端に印加される入力信号の振幅が、該ダイオードにおける他端の電圧によって決まる所定の振幅制限値に達する際にダイオードが導通することにより、増幅器に入力される入力信号の振幅を上記所定の振幅制限値以下に制限する振幅制限回路と、増幅器の温度に応じて抵抗値が変化する温度検出素子と、ダイオードにおける他端の電圧を上記温度検出素子の抵抗値の変化に応じてリアルタイムで連続的に変化させる制御電圧を生成し、上記振幅制限回路に供給することにより増幅器の温度上昇を防止する温度上昇防止回路と、により構成された保護回路が開示されている。
【０００５】
また例えば、特許文献３には、増幅器の温度が所定値を超えたことを検出し信号を出力する温度検出回路と、該温度検出回路の出力に応じて周期的なパルス信号を出力する発振回路と、上記温度検出回路の信号出力及び上記発振回路のパルス信号出力に応じてオーディオ入力信号を減衰させるミュート回路と、を備えた保護回路が開示されている。
【０００６】
更に例えば、特許文献４には、増幅器の素子の温度が第１の温度以上になったことを検出して入力交流信号を減衰させる交流信号減衰回路と、増幅器の素子の温度が第１の温度より高い第２の温度以上になったことを検出して出力段のバイアス電流を遮断するバイアス遮断回路と、を備えた保護回路が開示されている。
【先行技術文献】
【特許文献】
【０００７】
【特許文献１】特開２００８−２３６６２１号公報
【特許文献２】特開２０１０−１４１６８２号公報
【特許文献３】特開平１１−３５５０５９号公報
【特許文献４】特開昭６１−１８２３０６号公報
【発明の概要】
【発明が解決しようとする課題】
【０００８】
ここで従来、増幅器の出力が何らかの原因によりグランド電位と短絡された場合、増幅器に過負荷がかかり、増幅器が異常発熱を起こす問題があった。
【０００９】
上記特許文献１〜４の保護回路では、増幅器の出力がグランド電位と短絡された場合、増幅器の温度が異常に上昇してから初めて保護動作を行うので、増幅器へ悪影響を及ぼす可能性があった。
【００１０】
上記問題点に鑑み、本発明は、音声増幅器の音声出力の電位が異常となった場合に、より適切な保護動作を行うことを可能とする音声増幅器保護回路を提供することを目的とする。
【課題を解決するための手段】
【００１１】
上記目的を達成するために本発明は、音声増幅器から音声信号を出力するための１つ以上の音声出力ラインに電気的接続され、出力音声信号に基づいて検出信号を生成する検出信号生成部と、
前記音声増幅器の音声出力の電位の異常を前記検出信号が示している場合に、前記音声増幅器への電源供給を停止させる制御を行う制御部と、
を備える音声増幅器保護回路とする。
【００１２】
このような構成によれば、音声増幅器の音声出力の電位が異常となった場合でも、即座に音声増幅器への電源供給が停止されるので、音声増幅器が異常発熱する前に保護が行われる。従って、より適切な保護動作を行うことが可能となる。
【００１３】
また、上記構成において、前記電位の異常は、前記音声出力がグランド電位と短絡されていることであることとしてもよい。
【００１４】
このような構成によれば、音声増幅器の音声出力がグランド電位と短絡されて音声増幅器に過負荷がかかった場合でも、即座に音声増幅器への電源供給が停止されるので、音声増幅器が異常発熱する前に保護が行われる。従って、より適切な保護動作を行うことが可能となる。
【００１５】
また、上記いずれかの構成において、前記検出信号生成部は、前記出力音声信号から低周波成分を抽出する少なくとも１つの抽出部を有しており、
前記抽出部により抽出された低周波成分に基づいて前記検出信号が生成される構成としてもよい。
【００１６】
このような構成によれば、交流成分に直流成分が重畳された出力音声信号が正常に出力される場合と、音声増幅器の音声出力がグランド電位と短絡される場合とで、抽出部の出力レベルに差を生じさせることができるので、正常状態と異常状態を示す検出信号を生成できる。
【００１７】
また、上記構成において、前記少なくとも１つの抽出部は、前記音声出力ラインに入力が電気的接続される少なくとも１つのローパスフィルタである構成としてもよい。
【００１８】
また、上記構成において、前記検出信号生成部は、前記ローパスフィルタの出力にカソードが電気的接続される１つ以上のダイオードと、
前記ダイオードのアノードに電気的接続される１つ以上のプルアップ抵抗と、を有する構成としてもよい。
【００１９】
このような構成によれば、交流成分に直流成分が重畳された出力音声信号が正常に出力される場合と、音声増幅器の音声出力がグランド電位と短絡される場合とで、ダイオードは非導通状態・導通状態となり、レベルの異なる検出信号を生成できる。
【００２０】
また、上記構成において、前記１つ以上の音声出力ラインは、Ｌチャンネル用音声出力ラインとＲチャンネル用音声出力ラインであり、
前記１つ以上のローパスフィルタは、前記Ｌチャンネル用音声出力ラインに入力が電気的接続されるＬチャンネル用ローパスフィルタと、前記Ｒチャンネル用音声出力ラインに入力が電気的接続されるＲチャンネル用ローパスフィルタであり、
前記１つ以上のダイオードは、前記Ｌチャンネル用ローパスフィルタの出力にカソードが電気的接続される第１のダイオードと、前記Ｒチャンネル用ローパスフィルタの出力にカソードが電気的接続される第２のダイオードであり、
前記１つ以上のプルアップ抵抗は、前記第１のダイオードのアノードに電気的接続される第１のプルアップ抵抗と、前記第２のダイオードのアノードに電気的接続される第２のプルアップ抵抗である構成としてもよい。
【００２１】
また、上記構成において、前記１つ以上の音声出力ラインは、Ｌチャンネル用音声出力ラインとＲチャンネル用音声出力ラインであり、
前記１つ以上のローパスフィルタは、前記Ｌチャンネル用音声出力ラインに入力が電気的接続されるＬチャンネル用ローパスフィルタと、前記Ｒチャンネル用音声出力ラインに入力が電気的接続されると共に前記Ｌチャンネル用ローパスフィルタの出力に出力が電気的接続されるＲチャンネル用ローパスフィルタであり、
前記１つ以上のダイオードは、前記Ｌチャンネル用ローパスフィルタの出力にカソードが接続される１つのダイオードであり、
前記１つ以上のプルアップ抵抗は、前記１つのダイオードのアノードに電気的接続される１つのプルアップ抵抗である構成としてもよい。
【００２２】
また、上記構成において、前記１つ以上の音声出力ラインは、Ｌチャンネル用音声出力ラインとＲチャンネル用音声出力ラインであり、
前記１つ以上のローパスフィルタは、前記Ｌチャンネル用音声出力ラインに入力が電気的接続されるＬチャンネル用ローパスフィルタと、前記Ｒチャンネル用音声出力ラインに入力が電気的接続されるＲチャンネル用ローパスフィルタであり、
前記１つ以上のダイオードは、前記Ｌチャンネル用ローパスフィルタの出力にカソードが電気的接続される第１のダイオードと、前記Ｒチャンネル用ローパスフィルタの出力にカソードが電気的接続される第２のダイオードであり、
前記１つ以上のプルアップ抵抗は、前記第１のダイオードのアノードと前記第２のダイオードのアノードに電気的接続される１つのプルアップ抵抗である構成としてもよい。
【００２３】
また、上記いずれかの構成において、前記制御部は、前記音声増幅器の音声出力がグランド電位と短絡されていることを前記検出信号が示している場合に、当該音声増幅器保護回路を備えた音声機器のメイン電源をオフさせることにより前記音声増幅器への電源供給を停止させる構成としてもよい。
【００２４】
このような構成によれば、音声増幅器への電源供給を停止させるために特別な構成を必要としない。
【００２５】
また、本発明の音声機器は、上記いずれかの構成の音声増幅器保護回路と、音声増幅器と、を備える構成とする。
【発明の効果】
【００２６】
本発明によると、音声増幅器の音声出力の電位が異常となった場合に、より適切な保護動作を行うことが可能となる。
【図面の簡単な説明】
【００２７】
【図１】本発明の一実施形態に係る液晶テレビ装置の概略構成を示す図である。
【図２】本発明の一実施形態に係るオーディオアンプＩＣ及びその保護回路に関する具体的な回路構成を示す図である。
【図３】本発明の一実施形態に係る保護回路におけるダイオードのカソード側電圧及びアノード側電圧の波形例を示すタイミングチャートである。
【図４】本発明の一実施形態に係る保護回路においてオーディオアンプＩＣの音声出力とグランド電位が短絡された場合に形成される回路を示す図である。
【図５】本発明の別実施形態に係る保護回路に関する具体的な回路構成を示す図である。
【図６】本発明に係るローパスフィルタの変形例を示す図である。
【発明を実施するための形態】
【００２８】
以下に本発明の一実施形態について図面を参照して説明する。ここでは、液晶テレビ装置に備えられる音声増幅器（オーディオアンプＩＣ）用の保護回路を一例に挙げて説明する。
【００２９】
本発明の一実施形態に係る液晶テレビ装置の概略構成を図１に示す。図１に示す液晶テレビ装置１００は、チューナ２と、復調ＩＣ３と、ＤＥＭＵＸ（デマルチプレクサ）４と、映像デコーダ５と、映像出力部６と、液晶パネル７と、音声デコーダ８と、音声出力部９と、スピーカ１０Ｌ及び１０Ｒと、リモコン受信部１１と、電源回路１２と、マイコン１３を備えている。チューナ２には、アンテナ１が接続される。
【００３０】
チューナ２は、アンテナ１から受信したデジタル放送信号から選局周波数の放送信号を選局し、選局された放送信号を復調ＩＣ３に出力する。復調ＩＣ３は、受信した放送信号をＯＦＤＭ（Orthogonal Frequency Division Multiplexing）方式で復調し、ビダビ復号等を用いて誤り訂正を行いＴＳ（Transport Stream）データを取り出す。
【００３１】
ＤＥＭＵＸ４は、ＴＳデータから映像ストリームデータを抽出し映像デコーダ５に出力すると共に、ＴＳデータから音声ストリームデータを抽出し音声デコーダ８に出力する。
【００３２】
映像デコーダ５は、映像ストリームデータをデコードし、デジタル映像データを映像出力部６に出力する。映像出力部６は、デジタル映像データを液晶パネル７の表示に適した形式の映像信号に変換し、液晶パネル７に出力する。液晶パネル７は、映像出力部６から入力される映像信号に基づき映像を表示する。
【００３３】
音声デコーダ８は、音声ストリームデータをデコードし、デジタル音声データを音声出力部９に送信する。音声出力部９は、デジタル音声データをアナログ音声信号に変換するＤ／Ａコンバータ（不図示）と、アナログ音声信号を増幅して出力するオーディオアンプＩＣ（不図示）を含んでいる。音声出力部９から出力されたアナログ音声信号は、Ｌチャンネル用のスピーカ１０Ｌ及びＲチャンネル用のスピーカ１０Ｒに入力され、スピーカ１０Ｌ及び１０Ｒの駆動により音声が発生する。なお、オーディオアンプＩＣについては後に詳述する。
【００３４】
リモコン受光部１１は、リモコン装置（不図示）からキー操作に対応した赤外線信号を受信し、受信した赤外線信号をリモコンコードに変換する。リモコンコードをマイコン１３に送信することにより、液晶テレビ装置１００がキー操作に応じた動作を行う。
【００３５】
電源回路１２は、商用電源（不図示）からの交流電源を各種直流電源に変換して液晶テレビ装置１００の各部へ直流電源を供給する回路である。なお、直流電源が供給される各部には、音声出力部９に含まれるオーディオアンプＩＣも含まれる。
【００３６】
マイコン１３によりメイン電源のオンオフを切り替えることができ、メイン電源がオンにされると電源回路１２から各部への直流電源の供給が開始され、メイン電源がオフにされると各部への直流電源の供給が停止される。
【００３７】
マイコン１３は、ＣＰＵ、ＲＯＭ等から構成され、液晶テレビ装置１００を統括的に制御する制御装置である。
【００３８】
また、液晶テレビ装置１００は保護回路２０も備えている。保護回路２０は、オーディオアンプＩＣの音声出力とグランド電位が短絡した場合にオーディオアンプＩＣが異常発熱しないように保護する回路であり、マイコン１３を構成の一部として含んでいる。
【００３９】
次に、本発明の一実施形態に係るオーディオアンプＩＣとその保護回路に関する具体的な回路構成を図２に示す。
【００４０】
図２に示すオーディオアンプＩＣ９１は、液晶テレビ装置１００の音声出力部９（図１）に含まれるＩＣチップであり、前段側に接続されるＤ／Ａコンバータ（不図示）から入力されるＬチャンネル及びＲチャンネルのアナログ音声信号を増幅して出力する。
【００４１】
また、上述した液晶テレビ装置１００の保護回路２０（図１）は、Ｌチャンネル用のローパスフィルタＬＰ１、Ｒチャンネル用のローパスフィルタＬＰ２、Ｌチャンネル用のダイオードＤ１、Ｒチャンネル用のダイオードＤ２、プルアップ抵抗Ｒｐ１及びＲｐ２、並びに保護ポート１３Ａ及び１３Ｂを有したマイコン１３（制御部）（図１）から構成される。なお、本発明の検出信号生成部は、ローパスフィルタＬＰ１及びＬＰ２、ダイオードＤ１及びＤ２、プルアップ抵抗Ｒｐ１及びＲｐ２、並びに保護ポート１３Ａ及び１３Ｂから成る回路部に相当する。
【００４２】
オーディオアンプＩＣ９１は、端子Ｔ１〜Ｔ１２を有している。端子Ｔ１には、Ｄ／Ａコンバータ（不図示）よりＬチャンネルの入力音声信号Ｌｉｎが入力される。
【００４３】
端子Ｔ２には、オーディオアンプＩＣ９１用の直流電源Ｖｐが入力される。直流電源Ｖｐは、上述した電源回路１２（図１）から供給される。
【００４４】
端子Ｔ１に入力された入力音声信号ＬｉｎはオーディオアンプＩＣ９１により増幅されてＬチャンネルの出力音声信号Ｌｏｕｔとして端子Ｔ３から音声出力ラインＬ１へ出力される。
【００４５】
端子Ｔ３及び端子Ｔ５に隣接する端子Ｔ４は、グランド電位に接続される。端子Ｔ６には、Ｄ／Ａコンバータ（不図示）よりＲチャンネルの入力音声信号Ｒｉｎが入力される。端子Ｔ６に入力された入力音声信号ＲｉｎはオーディオアンプＩＣ９１により増幅されてＲチャンネルの出力音声信号Ｒｏｕｔとして端子Ｔ５から音声出力ラインＬ２へ出力される。
【００４６】
一端が端子Ｔ３に接続された音声出力ラインＬ１の他端は、コンデンサＣ１の一端に接続されており、コンデンサＣ１の他端はＬチャンネル用のスピーカ１０Ｌ（図１）に接続される。また、一端が端子Ｔ５に接続された音声出力ラインＬ２の他端は、コンデンサＣ２の一端に接続されており、コンデンサＣ２の他端はＲチャンネル用のスピーカ１０Ｒ（図１）に接続される。なお、コンデンサＣ１及びＣ２は、音声出力部９（図１）に含まれる。
【００４７】
端子Ｔ３から出力されるＬチャンネルの出力音声信号Ｌｏｕｔは、交流成分に直流成分が重畳された信号となっており、コンデンサＣ１により直流成分がカットされた後、スピーカ１０Ｌに出力される。同様に、端子Ｔ５から出力されるＲチャンネルの出力音声信号Ｒｏｕｔは、交流成分に直流成分が重畳された信号となっており、コンデンサＣ２により直流成分がカットされた後、スピーカ１０Ｒに出力される。
【００４８】
なお、端子Ｔ７〜Ｔ１２は、全てグランド電位に共通接続されている。
【００４９】
Ｌチャンネル用のローパスフィルタＬＰ１は、抵抗Ｒ１１、並びにコンデンサＣ１１及びＣ１２から構成される。Ｌチャンネルの出力音声信号Ｌｏｕｔを出力させる音声出力ラインＬ１の途中に抵抗Ｒ１１の一端が接続される。抵抗Ｒ１１の他端は、コンデンサＣ１１及びＣ１２の一端に共通接続される。コンデンサＣ１１及びＣ１２の他端は、それぞれグランド電位に接続される。
【００５０】
抵抗Ｒ１１とコンデンサＣ１１及びＣ１２との接続点には、ダイオードＤ１のカソードが接続される。ダイオードＤ１のアノードは、保護ポート１３Ａに接続される。また、保護ポート１３Ａには、プルアップ抵抗Ｒｐ１を介して直流電源Ｖｃｃ（例えば３．３Ｖ）が接続される。
【００５１】
Ｒチャンネル用のローパスフィルタＬＰ２は、抵抗Ｒ２１、並びにコンデンサＣ２１及びＣ２２から構成される。Ｒチャンネルの出力音声信号Ｒｏｕｔを出力させる音声出力ラインＬ２の途中に抵抗Ｒ２１の一端が接続される。抵抗Ｒ２１の他端は、コンデンサＣ２１及びＣ２２の一端に共通接続される。コンデンサＣ２１及びＣ２２の他端は、それぞれグランド電位に接続される。
【００５２】
抵抗Ｒ２１とコンデンサＣ２１及びＣ２２との接続点には、ダイオードＤ２のカソードが接続される。ダイオードＤ２のアノードは、保護ポート１３Ｂに接続される。また、保護ポート１３Ｂには、プルアップ抵抗Ｒｐ２を介して直流電源Ｖｃｃ（例えば３．３Ｖ）が接続される。
【００５３】
出力音声信号Ｌｏｕｔ及びＲｏｕｔは、一般的に２０Ｈｚ〜２０ｋＨｚの交流成分に直流成分が重畳された信号となっている。そこで、ローパスフィルタＬＰ１及びＬＰ２のカットオフ周波数は２０Ｈｚ以下とする。例えば、カットオフ周波数が２．９ＨｚとなるようにローパスフィルタＬＰ１及びＬＰ２を構成する各素子の定数を設定する。
【００５４】
出力音声信号Ｌｏｕｔ及びＲｏｕｔが正常に出力される場合、交流成分に直流成分が重畳された信号である出力音声信号Ｌｏｕｔ及びＲｏｕｔは、ローパスフィルタＬＰ１及びＬＰ２によってカットオフ周波数に従って低周波成分を通過され、高周波成分をカットされる。
【００５５】
ここでダイオードＤ１またはＤ２のカソード側電圧（即ち、ローパスフィルタＬＰ１またはＬＰ２の出力電圧）の波形の一例を実線として、ダイオードＤ１またはＤ２のアノード側電圧（即ち、保護ポート１３Ａまたは１３Ｂの印加電圧）の波形の一例を破線として、図３のタイミングチャートに示す。
【００５６】
図３における前半部分（即ち、実線が波型となっている部分）は、出力音声信号ＬｏｕｔまたはＲｏｕｔの交流成分が２０Ｈｚで音量最大の場合で、出力音声信号が正常に出力されている場合を示す。この場合、図３の実線に示すようにダイオードＤ１またはＤ２のカソード側電圧はローパスフィルタＬＰ１またはＬＰ２によって完全に平滑された波形とはならないが、プルアップ抵抗Ｒｐ１またはＲｐ２に接続された直流電源Ｖｃｃの電圧３．３Ｖを下回ることはない。つまり、出力音声信号ＬｏｕｔまたはＲｏｕｔの交流成分が２０Ｈｚで音量最大という最も厳しい条件の場合に、ダイオードＤ１またはＤ２のカソード側電圧は直流電源Ｖｃｃの電圧を下回らないので、２０Ｈｚ〜２０ｋＨｚのどのような出力音声信号の場合でもダイオードＤ１またはＤ２のカソード側電圧が直流電源Ｖｃｃの電圧を下回ることはない。
【００５７】
従ってこの場合、ダイオードＤ１及びＤ２は導通しないので、保護ポート１３Ａ及び１３Ｂには直流電源Ｖｃｃの電圧３．３Ｖが印加される（これにより、図３の破線のようにダイオードＤ１またはＤ２のアノード側電圧は３．３Ｖとなっている）。ここで、マイコン１３は、保護ポート１３Ａ及び１３Ｂの各印加電圧を所定の閾値と比較しており、閾値を例えば２Ｖとして印加電圧が３．３Ｖであれば、印加電圧が閾値を上回っているので正常状態であると判断し、メイン電源のオン状態を維持させる（即ち、オーディオアンプＩＣ９１用の直流電源Ｖｐの供給が維持される）。
【００５８】
次に、出力音声信号Ｌｏｕｔ用の端子Ｔ３とグランド電位接続用の端子Ｔ４とが、または出力音声信号Ｒｏｕｔ用の端子Ｔ５とグランド電位接続用の端子Ｔ４とが短絡された場合について説明する。なお、このような短絡は、生産工場における短絡試験による等の意図的なものと、エンドユーザが使用中に故障として生ずる等の意図的でないものとがある。
【００５９】
端子Ｔ３と端子Ｔ４が短絡された場合は、端子Ｔ３がグランド電位となり、図４に示すような抵抗Ｒ１１の一端がグランド電位に接続された回路が形成される。この場合、ダイオードＤ１が導通し、直流電源Ｖｃｃからグランド電位へ向かって電流Ｉ０が流れる。図４より、（１）式が成り立つ。
（Ｒｐ１×Ｉ０）＋Ｄ１＋（Ｒ１１×Ｉ０）＝Ｖｃｃ  （１）
但し、Ｄ１：ダイオードＤ１の順方向電圧降下
【００６０】
（１）式をＩ０について整理すると、（２）式となる。
Ｉ０＝（Ｖｃｃ−Ｄ１）／（Ｒｐ１＋Ｒ１１）  （２）
【００６１】
ここで、保護ポート１３Ａの印加電圧をＶ１とすれば、（３）式が成り立つ。
Ｖ１＝Ｖｃｃ−（Ｒｐ１×Ｉ０）
＝Ｖｃｃ−（Ｒｐ１×（Ｖｃｃ−Ｄ１）／（Ｒｐ１＋Ｒ１１））  （３）
【００６２】
例えば、Ｖｃｃ＝３．３Ｖ、Ｄ１＝０．７Ｖ、Ｒｐ１＝２２ｋΩ、及びＲ１１＝２．７ｋΩとした場合、Ｖ１＝１．０Ｖに設定できる。図３における後半部分は、端子Ｔ３と端子Ｔ４が短絡した場合の波形例を示しており、ダイオードＤ１のアノード側電圧（破線）は１．０Ｖとなっており、ダイオードＤ１のカソード側電圧（実線）は１．０ＶからダイオードＤ１の順方向電圧降下だけ降下した電圧（即ち、１．０Ｖ−０．７Ｖ＝０．３Ｖ）となっている。
【００６３】
なお、端子Ｔ５と端子Ｔ４が短絡された場合も上記と同様であり、この場合、保護ポート１３Ｂに所定の電圧（例えば１．０Ｖ）が印加される。
【００６４】
マイコン１３は、上述した通り、保護ポート１３Ａ及び１３Ｂの各印加電圧を閾値と比較しており、閾値を例えば２Ｖとして印加電圧が１．０Ｖであれば、印加電圧が閾値以下であるので異常状態であると判断し、メイン電源をオフとすることによりオーディオアンプＩＣ９１用の直流電源Ｖｐの供給を停止させる。これにより、オーディオアンプＩＣ９１による増幅動作が停止され、オーディオアンプＩＣ９１の異常発熱を防止できる。
【００６５】
このように本実施形態によれば、音声出力用端子である端子Ｔ３または端子Ｔ５がグランド電位接続用の端子Ｔ４と短絡されてオーディオアンプＩＣ９１に過負荷がかかった場合でも、保護ポート１３Ａまたは１３Ｂの印加電圧が即座に所定の電圧となり、マイコン１３がこれを検出してメイン電源をオフとするので、オーディオアンプＩＣ９１が異常発熱する前に保護を行うことができる。
【００６６】
また、これにより、通常時のオーディオアンプＩＣ９１の発熱がヒートシンクを設けなくても問題ないレベルであれば、ヒートシンクを設ける必要がなくなるので、コスト削減及び基板サイズの縮小が可能となる。
【００６７】
なお、実機により保護回路２０の有無でオーディオ周波数特性を比較検証したところ、オーディオ周波数特性にほぼ変化は見られず問題はなかった。
【００６８】
また、本実施形態の変形例として、図２に示す構成において、Ｒチャンネル側の保護ポート１３Ｂ及びプルアップ抵抗Ｒｐ２を削除し、ダイオードＤ２のアノードをダイオードＤ１のアノードに接続し、保護ポート１３Ａ及びプルアップ抵抗Ｒｐ１を共通に使用するようにしてもよい。
【００６９】
次に、本発明の別実施形態に係る保護回路に関する構成を図５に示す。
【００７０】
図５に示す保護回路においては、ローパスフィルタＬＰ２における抵抗Ｒ２１とコンデンサＣ２１及びＣ２２の接続点と、ローパスフィルタＬＰ１における抵抗Ｒ１１とコンデンサＣ１１及びＣ１２の接続点とが接続ラインＬ３により接続される。そして、接続ラインＬ３の一端とローパスフィルタＬＰ１の接続点には、抵抗Ｒ３１の一端が接続される。抵抗Ｒ３１の他端は、抵抗Ｒ３２の一端とダイオードＤ１のカソードに共通接続される。抵抗Ｒ３２の他端はグランド電位に接続される。
【００７１】
このような構成においても、端子Ｔ３及び端子Ｔ５から正常に出力音声信号が出力される場合は、ダイオードＤ１は導通せず、保護ポート１３Ａに直流電源Ｖｃｃの電圧が印加され、端子Ｔ３または端子Ｔ５が端子Ｔ４と短絡された場合は、ダイオードＤ１が導通され、保護ポート１３Ａに所定の電圧が印加される。これにより、マイコン１３は、正常状態か異常状態かを判別できる。
【００７２】
また、本実施形態に係る保護回路であれば、ＬチャンネルとＲチャンネルの回路構成の共通化を図り、部品点数の削減を可能とする。
【００７３】
なお、以上説明した実施形態において、ローパスフィルタは抵抗とコンデンサから構成されるものに限らず、例えば図６に示すようなコイルとコンデンサから構成されるものとしてもよい。これによれば、フィルタ機能を向上させることができる。
【００７４】
以上、本発明の一実施形態について説明したが、本発明の趣旨の範囲内であれば、実施形態は種々変形が可能である。
【００７５】
例えば、オーディオアンプＩＣの音声出力とグランド電位が短絡された場合に、メイン電源をオフとするのではなく、オーディオアンプＩＣ用の直流電源のみを限定的に供給停止させるようにしてもよい。但しこの場合、メイン電源をオフとする実施形態に比べ、オーディオアンプＩＣ用の直流電源をオンオフさせるスイッチ等が必要となる。
【００７６】
また、本発明に係る保護回路は、テレビ装置に限らず、例えば単体のパワーアンプ装置、単体のパワーアンプ付きスピーカ装置や、ブルーレイディスク装置及びＤＶＤ装置等の種々の音声機器に採用できる。
【符号の説明】
【００７７】
９  音声出力部
１０Ｌ、１０Ｒ  スピーカ
１２  電源回路
１３  マイコン
１３Ａ、１３Ｂ  保護ポート
２０  保護回路
９１  オーディオアンプＩＣ
１００  液晶テレビ装置
Ｔ１〜Ｔ１２  端子
Ｌ１、Ｌ２  音声出力ライン
Ｌ３  接続ライン
Ｃ１、Ｃ２  コンデンサ
ＬＰ１、ＬＰ２  ローパスフィルタ
Ｒ１１、Ｒ２１  抵抗
Ｒ３１、Ｒ３２  抵抗
Ｃ１１、Ｃ１２、Ｃ２１、Ｃ２２  コンデンサ
Ｄ１、Ｄ２  ダイオード
Ｒｐ１、Ｒｐ２  プルアップ抵抗
Ｖｃｃ  直流電源
Ｌｉｎ、Ｒｉｎ  入力音声信号
Ｌｏｕｔ、Ｒｏｕｔ  出力音声信号
Ｖｐ  直流電源
Ｌ  コイル
【図１】
2013168741.tif 000003
【図２】
2013168741.tif 000004
【図３】
2013168741.tif 000005
【図４】
2013168741.tif 000006
【図５】
2013168741.tif 000007
【図６】
2013168741.tif 000008